(57)【要約】【課題】  出窓用額縁を机及び椅子等として用いる場合に、当該机及び椅子等の上面に段差が生じることを抑制し、出窓用額縁とは別部材として天板を用いるものと比べて部品点数を少なくしつつ、屋内空間の有効活用を行うことができる出窓用額縁を提供することを目的とする。【解決手段】  住宅２の外壁４に設けられた各開口部５ａ及び５ｂにそれぞれ取り付けられた出窓用額縁１ａ及び１ｂであって、上枠７及び１１と、上枠７及び１１に対向して鉛直方向下方にそれぞれ配置された下枠８及び１２とをそれぞれ備え、下枠８及び１２は、上面が、外壁４よりも屋外方向に張り出しているとともに、外壁４よりも屋内方向にも張り出していることを特徴とする出窓用額縁１ａ及び１ｂ。【選択図】図２
2014062417.tif 000002
【特許請求の範囲】
【請求項１】
住宅の外壁に設けられた開口部に取り付けられた出窓用額縁であって、
上枠と、
前記上枠に対向して鉛直方向下方に配置された下枠とを備え、
前記下枠は、上面が、前記外壁よりも屋外方向に張り出しているとともに、前記外壁よりも屋内方向にも張り出していることを特徴とする出窓用額縁。
【請求項２】
前記下枠は、幅方向における一部が、幅方向における他の部分よりも屋内方向に張り出していることを特徴とする請求項１に記載の出窓用額縁。
【請求項３】
前記上枠の幅方向における両端から対向する前記下枠の幅方向における両端に向かってそれぞれ延びている一対の側枠をさらに備え、
前記下枠は、幅方向における前記一部が、前記一対の側枠のうちの一方の側枠に連続して屋内方向に張り出しており、当該一方の側枠が、前記一部に沿って屋内方向に張り出していることを特徴とする請求項２に記載の出窓用額縁。
【請求項４】
前記上枠は、内端が、奥行き方向において外壁の内端と略同じ位置にあることを特徴とする請求項１〜３のいずれかに記載の出窓用額縁。
【請求項５】
前記下枠は、前記外壁の内端から屋外方向に２０ｃｍ以上張り出しているとともに、前記外壁の内端から屋内方向にも２０ｃｍ以上張り出していることを特徴とする請求項１〜４のいずれかに記載の出窓用額縁。
【請求項６】
前記下枠は、前記外壁の内端から屋外方向に２０ｃｍ以上張り出しており、幅方向における前記一部が、前記外壁の内端から屋内方向に５０ｃｍ以上張り出しているとともに、幅方向における前記他の部分が、前記外壁の内端から屋内方向に２０ｃｍ以上張り出していることを特徴とする請求項３又は４に記載の出窓用額縁。
【請求項７】
前記出窓用額縁が、正面視略矩形形状を有している額縁であることを特徴とする請求項１〜６のいずれかに記載の出窓用額縁。
【請求項８】
請求項１〜７のいずれかに記載の出窓用額縁を備えたことを特徴とする住宅。
【請求項９】
請求項１〜７のいずれかに記載の出窓用額縁を備えたことを特徴とする住宅展示場施設。
【発明の詳細な説明】
【技術分野】
【０００１】
本発明は、出窓用額縁並びに当該出窓用額縁を備えた住宅及び住宅展示場施設に関し、さらに詳しくは、住宅の外壁に取り付けられた出窓用額縁並びに当該出窓用額縁を備えた住宅及び住宅展示場施設に関する。
【背景技術】
【０００２】
従来、建築物に取り付けられる出窓の面台を机として用いる場合に、当該面台に天板を取り付け、当該面台を机として用いない場合に、当該面台から天板を取り外すことが開示されている（例えば、特許文献１）。
【０００３】
また、特許文献１には、建築物に取り付けられる出窓の面台に天板の収容部を設け、当該面台を机として用いる場合には、収容部から天板を引き出して机として用い、当該面台を机として用いない場合には、収容部に天板を収めることが開示されている。
【先行技術文献】
【特許文献】
【０００４】
【特許文献１】特開２０００−２５７３４２号公報
【発明の概要】
【発明が解決しようとする課題】
【０００５】
しかしながら、上記の出窓及び天板では、出窓の面台と天板とが別部材であるため、面台及び天板を机として用いる場合に、当該面台と天板との間に段差が生じ、机として用い難くなるとともに、部品点数が多くなってしまう。
【０００６】
本発明は、上記のような課題に鑑みてなされたものであり、出窓用額縁を机及び椅子等として用いる場合に、当該机及び椅子等の上面に段差が生じることを抑制し、出窓用額縁とは別部材として天板を用いるものと比べて部品点数を少なくしつつ、屋内空間の有効活用を行うことができる出窓用額縁を提供することを目的とする。
【課題を解決するための手段】
【０００７】
上記目的を達成するために、第１の発明に係る出窓用額縁は、住宅の外壁に設けられた開口部に取り付けられた出窓用額縁であって、上枠と、前記上枠に対向して鉛直方向下方に配置された下枠とを備え、前記下枠は、上面が、前記外壁よりも屋外方向に張り出しているとともに、前記外壁よりも屋内方向にも張り出していることを特徴としている。
【０００８】
第２の発明に係る出窓用額縁は、上記構成に加え、前記下枠は、幅方向における一部が、幅方向における他の部分よりも屋内方向に張り出していることを特徴としている。
【０００９】
第３の発明に係る出窓用額縁は、上記構成に加え、前記上枠の幅方向における両端から対向する前記下枠の幅方向における両端に向かってそれぞれ延びている一対の側枠をさらに備え、前記下枠は、幅方向における前記一部が、前記一対の側枠のうちの一方の側枠に連続して屋内方向に張り出しており、当該一方の側枠が、前記一部に沿って屋内方向に張り出していることを特徴としている。
【００１０】
第４の発明に係る出窓用額縁は、上記構成に加え、前記上枠は、内端が、奥行き方向において外壁の内端と略同じ位置にあることを特徴としている。
【００１１】
第５の発明に係る出窓用額縁は、上記構成に加え、前記下枠は、前記外壁の内端から屋外方向に２０ｃｍ以上張り出しているとともに、前記外壁の内端から屋内方向にも２０ｃｍ以上張り出していることを特徴としている。
【００１２】
第６の発明に係る出窓用額縁は、上記構成に加え、前記下枠は、前記外壁の内端から屋外方向に２０ｃｍ以上張り出しており、幅方向における前記一部が、前記外壁の内端から屋内方向に５０ｃｍ以上張り出しているとともに、幅方向における前記他の部分が、前記外壁の内端から屋内方向に２０ｃｍ以上張り出していることを特徴としている。
【００１３】
第７の発明に係る出窓用額縁は、上記構成に加え、前記出窓用額縁が、正面視略矩形形状を有している額縁であることを特徴としている。
【００１４】
第８の発明に係る住宅は、上記第１の発明〜第７の発明のいずれかに係る出窓用額縁を備えたことを特徴としている。
【００１５】
第９の発明に係る住宅展示場施設は、上記第１の発明〜第７の発明のいずれかに係る出窓用額縁を備えたことを特徴としている。
【発明の効果】
【００１６】
第１の発明に係る出窓用額縁によれば、前記下枠は、当該下枠の上面が、前記外壁よりも屋外方向に張り出しているとともに、前記外壁よりも屋内方向にも張り出している。このような構成により、下枠の上面に屋内方向及び屋外方向に張り出した広い面が形成されるため、例えば、この下枠の上面を机の天板として利用した場合に、広い天板とすることができる。また、例えば、この下枠の上面を椅子の座面として利用した場合にも、広い座面とすることができるため、座り心地を良くすることができる。そして、上記下枠は、その上面に段差がないため、段差が設けられるものに比べて、机の天板又は椅子の座面として利用し易い。また、出窓用額縁とは別部材として天板等を用いるものと比べ部品点数を少なくすることができる。
【００１７】
また、出窓用額縁の下枠の上面を机の天板及び椅子の座面として使用することにより、当該下枠の上面のうち屋外方向に張り出した部分も天板又は座面として利用することができるため、独立して机や椅子を外壁の屋内側内面に沿って設置する場合と比べて、省スペース化を図り、屋内空間の有効活用を行うことができる。
【００１８】
第２の発明に係る出窓用額縁によれば、前記下枠は、幅方向における一部が、幅方向における他の部分よりも屋内方向に張り出している。このような構成により、幅方向における前記一部を椅子として使用した場合に、当該椅子の使用者の左側又は右側に出窓を配することができ、使用者の前方に当該出窓を通った光を導くことができる。
【００１９】
第３の発明に係る出窓用額縁によれば、前記下枠は、幅方向における前記一部が、前記一対の側枠のうちの一方の側枠に連続して屋内方向に張り出しており、当該一方の側枠が、前記一部に沿って屋内方向に張り出している。このような構成により、幅方向における前記一部を椅子として使用した場合に、前記一方の側枠を背もたれとして使用することができる。
【００２０】
第４の発明に係る出窓用額縁によれば、前記上枠は、内端が、奥行き方向において外壁の内端と略同じ位置にあるため、前記上枠によって出窓から入ってくる光が遮られることを抑制することができる。
【００２１】
第５の発明に係る出窓用額縁によれば、前記下枠は、前記外壁の内端から屋外方向に２０ｃｍ以上張り出しているとともに、前記外壁の内端から屋内方向にも２０ｃｍ以上張り出している。このような構成により、出窓用額縁を机として用いる場合等に、十分な作業領域を確保することができる。
【００２２】
第６の発明に係る出窓用額縁によれば、前記下枠は、前記外壁の内端から屋外方向に２０ｃｍ以上張り出しており、幅方向における前記一部が、前記外壁の内端から屋内方向に５０ｃｍ以上張り出しているとともに、幅方向における前記他の部分が、前記外壁の内端から屋内方向に２０ｃｍ以上張り出している。このような構成により、幅方向における前記一部を椅子として使用した場合に、十分な広さの座面を確保することができる。
【００２３】
第７の発明に係る出窓用額縁によれば、当該出窓用額縁が、正面視略矩形形状を有している額縁であるため、出窓用額縁を机及び椅子等として用いる場合に特に適している。
【００２４】
以上のように、第１の発明から第７の発明に係る出窓用額縁を設けることにより、省スペース化しつつ、当該出窓用額縁を机や椅子として利用できる。このため、当該出窓用額縁を机や椅子として利用することにより、キッチン脇の空間やリビングの奥の空間等の利用し難い小空間をいわゆるヌックと呼ばれる小空間の憩い室として利用することができる。すなわち、上記小空間に隣接する外壁に出窓用額縁を設置することにより、当該小空間であっても、出窓用額縁を机や椅子として利用することができ、簡易的な団欒スペースや書斎等として当該小空間を利用することができる。
【００２５】
第８の発明に係る住宅によれば、当該住宅は前記出窓用額縁を備えているため、当該出窓用額縁を机及び椅子等として用いる場合に、当該机及び椅子等の上面に段差が生じることを抑制し、出窓用額縁とは別部材として天板等を用いるものと比べて部品点数を少なくしつつ、屋内空間の有効活用を行うことができる。
【００２６】
第９の発明に係る住宅展示場施設によれば、当該住宅展示場施設は前記出窓用額縁を備えているため、当該出窓用額縁を机及び椅子等として用いる場合に、当該机及び椅子等の上面に段差が生じることを抑制し、出窓用額縁とは別部材として天板等を用いるものと比べて部品点数を少なくしつつ、屋内空間の有効活用を行うことができる。
【図面の簡単な説明】
【００２７】
【図１】本発明に係る出窓用額縁１ａ及び１ｂを備えた住宅２の一例を示す概略間取り図である。
【図２】本発明に係る出窓用額縁１ａ及び１ｂを備えた居室３の一例を示す概略斜視図である。
【図３】本発明に係る出窓用額縁１ａ及び１ｂを備えた居室３の一例を示す別の概略斜視図である。
【図４】図２の出窓用額縁１ａ及び外壁４をＡ−Ａ切断線により切断した場合の端面図である。
【図５】図２の出窓用額縁１ｂ及び外壁４をＢ−Ｂ切断線により切断した場合の端面図である。
【図６】図２の出窓用額縁１ａの変形例及び外壁４の鉛直方向端面図である。
【発明を実施するための形態】
【００２８】
本発明に係る出窓用額縁の実施の形態について、図面を参照しつつ説明する。図１に示すように、本発明に係る出窓用額縁１ａ及び１ｂは、住宅２の外壁４から外側へ張り出した位置に設けられる窓を囲む枠である。ここでは、出窓用額縁１ａ及び１ｂが、住宅２における居室３の外壁４に設けられた２つの開口部５ａ，５ｂの内縁に沿ってそれぞれ嵌め込まれている。各出窓用額縁１ａ，１ｂは、各開口部５ａ，５ｂに嵌め込まれた状態において、外壁４の外端よりも屋外方向に張り出しているとともに、外壁４の内端よりも屋内方向に張り出している。本明細書では、窓の横幅方向を単に幅方向という。
【００２９】
居室３は、ここでは、いわゆるヌックと呼ばれる小空間である。ヌックとは、趣味などに利用する小空間であり、簡単な食事を取ることができるキッチン脇の空間、簡易的な書斎の空間等である。なお、居室３は、上記ヌックに限定されるものではなく、住宅２の外壁が設けられた位置にある空間であれば、他の居室であっても良く、当該出窓用額縁１ａ及び１ｂは、廊下や玄関ホール等の居室３以外の空間に設けられるものであっても良い。
【００３０】
各出窓用額縁１ａ，１ｂは、図２及び図３に示すように、正面視略矩形形状を有する額縁であり、同様に正面視略矩形形状を有している各開口部５ａ，５ｂの内縁に沿って嵌め込まれている。
【００３１】
各出窓用額縁１ａ，１ｂは、各開口部５ａ，５ｂに嵌め込まれた状態において、外壁４の外端よりも屋外側の位置において窓ガラス６を支持している。
【００３２】
次に、出窓用額縁１ａの更なる構成及び作用効果について説明する。
【００３３】
出窓用額縁１ａは、上枠７と、当該上枠７に対向して鉛直方向下方に配置された下枠８とを備えている。さらに、出窓用額縁１ａは、一対の側枠９を備えており、一対の側枠９は、上枠７における幅方向の両端から対向する下枠８の幅方向における両端に向かって略鉛直方向にそれぞれ延びている。これらの上枠７、下枠８及び一対の側枠９は、奥行きの長さが互いに略同程度である。
【００３４】
一対の側枠９は、屋内側から出窓用額縁１ａを見た場合に左側に配置されている左側側枠９ａ、及び右側に配置されている右側側枠９ｂからなる。左側側枠９ａ及び右側側枠９ｂは、それぞれ平板状の略矩形形状を呈し、開口部５ａの左側内縁及び右側内縁に沿ってそれぞれ立てられ、略鉛直方向に取り付けられている。左側側枠９ａ及び右側側枠９ｂは、開口部５ａに取り付けられた状態において、外壁４の外端よりも屋外方向に張り出しているとともに、外壁４の内端よりも屋内方向に張り出している。
【００３５】
上枠７は、平板状の略矩形形状を呈し、開口部５ａの上側内縁に略水平方向に取り付けられている。上枠７は、開口部５ａに取り付けられた状態において、外壁４の外端よりも屋外方向に張り出しているとともに、外壁４の内端よりも屋内方向にも張り出している。
【００３６】
下枠８は、平板状の略矩形形状を呈し、開口部５ａの下側内縁に略水平方向に取り付けられている。下枠８は、上面が、略平坦な面であり、開口部５ａに取り付けられた状態において、外壁４の外端よりも屋外方向に張り出しているとともに、外壁４の内端よりも屋内方向にも張り出している。このように、下枠８は、上面が、段差の無い形状に形成されており、外壁４の外端よりも屋外方向に張り出しているとともに、外壁４の内端よりも屋内方向にも張り出している。
【００３７】
下枠８は、開口部５ａに取り付けられた状態において、例えば、図４に示すように、外壁４の内端から屋外方向に張り出している部分の長さｄ１が２０ｃｍ以上であるとともに、外壁４の内端から屋内方向に張り出している部分の長さｄ２が２０ｃｍ以上である。
【００３８】
このような構成により、居住者が、出窓用額縁１ａに向かって椅子１０に座る等して、出窓用額縁の下枠８を段差の無い机の天板として用いるか、又は出窓用額縁の下枠８を段差の無い椅子として用いることができ、出窓用額縁１とは別部材として天板を用いるものと比べて部品点数を少なくしつつ、屋内空間の有効活用を行うことができる。
【００３９】
出窓用額縁１ａを椅子として用いる場合には、居室３の床から下枠８までの高さが、例えば、約４０ｃｍであることが望ましい。また、出窓用額縁１を机として用いる場合には、居室３の床から下枠８までの高さが、例えば、約７０ｃｍであることが望ましい。
【００４０】
次に、出窓用額縁１ｂの更なる構成及び作用効果について説明する。
【００４１】
出窓用額縁１ｂは、図２及び図３に示すように、上枠１１と、当該上枠１１に対向して鉛直方向下方に配置された下枠１２とを備えている。さらに、出窓用額縁１ｂは、一対の側枠１６を備えており、一対の側枠１６は、上枠１１における幅方向の両端から対向する下枠１２の幅方向における両端に向かって略鉛直方向にそれぞれ延びている。
【００４２】
上枠１１は、出窓用額縁１ａにおける上枠７と同様の構成を有しており、平板状の略矩形形状を呈し、開口部５ｂの上側内縁に略水平方向に取り付けられている。上枠１１は、開口部５ｂに取り付けられた状態において、外壁４の外端よりも屋外方向に張り出しているとともに、外壁４の内端よりも屋内方向にも張り出している。
【００４３】
下枠１２は、平板状のＬ字状を呈し、略水平方向において、屈曲部１３を境界として屋外から屋内に延伸するとともに、屈曲部１３を境界として開口部５ｂの下側内縁に沿って幅方向に延伸するように開口部５ｂの下側内縁に取り付けられている。上記屈曲部１３は、図３に一点鎖線で示すように、Ｌ字状を呈している下枠１２の窪み部１９から屋外方向に向かって窓に略垂直に延びている面状又は線状の部分である。本明細書では、下枠１２における、屈曲部１３を境界として屋外から屋内に延伸している部分を幅方向における一部１４といい、下枠１２における、屈曲部１３を境界として開口部５ｂの下側内縁に沿って幅方向に延伸している部分を幅方向における他の部分１５という。
【００４４】
下枠１２は、幅方向における一部１４及び幅方向における他の部分１５の上面が、略平坦な面であり、開口部５ｂに取り付けられた状態において、外壁４の外端よりも屋外方向に張り出しているとともに、外壁４の内端よりも屋内方向に張り出している。このように、幅方向における一部１４及び幅方向における他の部分１５の上面が、段差の無い形状に形成されており、外壁４の外端よりも屋外方向に張り出しているとともに、外壁４の内端よりも屋内方向に張り出している。
【００４５】
下枠１２は、幅方向における一部１４が、略水平方向において、幅方向における他の部分１５よりも屋内方向に張り出している。また、幅方向における一部１４は、屋内側の端部において、幅方向における一部１４に加えられる荷重を支持するための脚１８が設けられている。
【００４６】
下枠１２は、開口部５ｂに取り付けられた状態で、幅方向における他の部分１５において、例えば、外壁４の内端から屋外方向に張り出している部分の長さが２０ｃｍ以上であるとともに、外壁４の内端から屋内方向に張り出している部分の長さが２０ｃｍ以上である一方、図５に示すように、幅方向における一部１４において、例えば、外壁４の内端から屋外方向に張り出している部分の長さｄ１が２０ｃｍ以上であるとともに、外壁４の内端から屋内方向に張り出している部分の長さｄ３が５０ｃｍ以上である。
【００４７】
一対の側枠１６は、屋内側から出窓用額縁１ｂを見た場合に左側に配置されている左側側枠１６ａ、及び右側に配置されている右側側枠１６ｂからなる。左側側枠１６ａ及び右側側枠１６ｂは、それぞれ平板状の略矩形形状を呈し、開口部５ｂの左側内縁及び右側内縁に沿ってそれぞれ立てられ、略鉛直方向に取り付けられている。左側側枠１６ａ及び右側側枠１６ｂは、開口部５ｂに取り付けられた状態において、外壁４の外端よりも屋外方向に張り出しているとともに、外壁４の内端よりも屋内方向に張り出している。
【００４８】
ここで、下枠１２は、幅方向における一部１４が、一対の側枠９のうちの右側側枠１６ｂに連続して屋内方向に張り出している。右側側枠１６ｂは、開口部５ｂに取り付けられた状態において、左側側枠１６ａよりも奥行き方向において屋内側に長くなるように形成され、配置されており、幅方向における一部１４に沿って屋内方向に張り出している。例えば、開口部５ｂに取り付けられた状態において、下枠１２は、幅方向における一部１４が、外壁４の内端から屋内方向に５０ｃｍ以上張り出している場合に、右側側枠１６ｂも、同様に外壁４の内端から屋内方向に５０ｃｍ以上張り出している。
【００４９】
このような構成により、居住者が、出窓用額縁１ｂに向かって椅子に座る等して、下枠１２の幅方向における他の部分１５を段差の無い机の天板として用いるか、又は当該幅方向における他の部分１５を段差の無い椅子として用いることができ、出窓用額縁１ｂとは別部材として天板を用いるものと比べて部品点数を少なくしつつ、屋内空間の有効活用を行うことができる。また、下枠１２の幅方向における一部１４を椅子として使用した場合に、当該椅子の使用者の右側に窓ガラス６が配されることになり、使用者の前方に当該窓ガラス６を通った光を導くことができ、テーブル１７等が配置されている使用者の前方を明るくすることができる。さらに、下枠１２における、幅方向における一部１４を椅子として使用した場合に、右側側枠１６ｂを背もたれとして使用することができる。
【００５０】
出窓用額縁１ｂを椅子として用いる場合には、出窓用額縁１ａと同様に、居室３の床から下枠１２までの高さが、例えば、約４０ｃｍであることが望ましい。また、出窓用額縁１を机として用いる場合には、出窓用額縁１ａと同様に、居室３の床から下枠１２までの高さが、例えば、約７０ｃｍであることが望ましい。
【００５１】
なお、出窓用額縁１ａでは、上枠７が、平板状の略矩形形状を呈し、各開口部５ａに略水平方向に取り付けられた状態において、外壁４の外端よりも屋外方向に張り出しているとともに、外壁４の内端よりも屋内方向にも張り出している場合の例について説明したが、本発明はこれに限られるものではない。例えば、上枠７が、平板状の略矩形形状を呈し、開口部５ａに略水平方向に取り付けられた状態において、図６に示すように、外壁４の外端よりも屋外方向に張り出しているとともに、上枠７は、内端が、奥行き方向において外壁４の内端と略同程度の位置にあるものであっても良い。このような構成により、上枠７によって出窓からの光が遮られることを抑制することができる。これと同様のことが、出窓用額縁１ｂについてもいえることは勿論である。
【００５２】
なお、出窓用額縁１ｂでは、下枠１２は、幅方向における一部１４が、一対の側枠１６のうちの右側側枠１６ｂに連続して屋内方向に張り出しており、また、右側側枠１６ｂが、開口部５ｂに取り付けられた状態において、左側側枠１６ａよりも奥行き方向において長く形成されており、下枠１２の幅方向における一部１４に沿って屋内方向に張り出している場合の例について説明したが、本発明はこれに限られるものではない。例えば、下枠１２は、幅方向における一部１４が、一対の側枠１６のうちの左側側枠１６ａに連続して屋内方向に張り出しており、また、左側側枠１６ａは、開口部５ｂに取り付けられた状態において、右側側枠１６ｂよりも奥行き方向において長く形成されており、下枠１２の幅方向における一部１４に沿って、屋内方向に張り出しているものであっても良いことは勿論である。
【００５３】
なお、出窓用額縁１ａ及び１ｂが、住宅２における居室３の外壁４に設けられた２つの開口部５ａ，５ｂの内側に沿ってそれぞれ嵌め込まれている場合の例について説明したが、本発明はこれに限られるものではない。例えば、出窓用額縁１ａ及び１ｂが、住宅展示場の施設である住宅展示場施設における居室３の外壁４に設けられた各開口部の内側に沿ってそれぞれ嵌め込まれているものであっても良い。
【００５４】
なお、出窓用額縁１ａ及び１ｂが省スペース化に貢献する、当該出窓用額縁１ａ及び１ｂの更なる構成及び作用効果について次に説明する。特に、居室３をいわゆるヌックとして活用する場合に、出窓用額縁１ａ及び１ｂが省スペース化に貢献する、当該出窓用額縁１ａ及び１ｂの更なる構成及び作用効果について次に説明する。
【００５５】
出窓用額縁１ａ及び出窓用額縁１ｂは、前述の通り、ともに居室３に設けられており、居室３は、いわゆるヌックと呼ばれる小空間である。居室３は、住宅２の隅に設けられ、当該隅を外壁４が形成している。外壁４のうち当該隅を形成している部分であって、当該隅から一方に延びている部分に出窓用額縁１ａが設けられており、外壁４のうち当該隅を形成している部分であって、当該隅から他方に延びている部分に出窓用額縁１ｂが設けられている。
【００５６】
そして、出窓用額縁１ａは、下枠８が、机の天板として利用できるように屋内方向及び屋外方向に張り出して形成されており、外壁４の屋内側内面に沿って独立して机を設置する場合と比べて省スペースで机を利用することができる。また、出窓用額縁１ｂは、下枠１２が、平面視Ｌ字状に形成されており、当該下枠１２の幅方向における一部１４の屋内方向に張り出した部分を椅子として利用しつつ、幅方向における他の部分１５の屋内方向及び屋外方向に張り出した部分も椅子として利用することができるため、独立してＬ字状のソファーを、外壁４の屋内側内面に当該ソファーの一辺が沿うように設置する場合と比べて省スペースでＬ字状のソファーを利用することができる。このように出窓用額縁１ａ及び出窓用額縁１ｂはそれぞれ省スペース化に貢献するものであり、これらの出窓用額縁１ａ，１ｂを備えた居室３とすることで、居室３がヌックと呼ばれるような小空間であったとしても、居室３を机及びＬ字状のソファーを設置した空間にすることができる。
【００５７】
さらに、居室３には、出窓用額縁１ｂにおけるＬ字状の下枠１２の脇の屋内空間であって、当該下枠１２の幅方向における一部１４及び幅方向における他の部分１５に沿った屋内空間に、テーブルが設けられている。これにより、出窓用額縁１ｂの下枠１２の幅方向における一部１４及び幅方向における他の部分１５にそれぞれ人が座って団欒をすることができる。一方、出窓用額縁１ａの下枠８は、机の天板として利用され、下枠８の屋内側には、当該机で作業する人が座る椅子１０が設けられている。また出窓用額縁１ａの設けられた外壁４に沿って屋内側であって、出窓用額縁１ａと住宅２の隅との間の出窓用額縁１ａに隣接する位置には、本棚２０が設けられており、椅子１０に座っている人が座ったまま本棚２０を利用することができる。このため、出窓用額縁１ａ付近の空間を簡易的な書斎のように利用することができる。従って、居室３がヌックと呼ばれるような小空間であったとしても、出窓用額縁１ａ及びで窓用額縁１ｂを利用することにより、当該居室３を団欒スペースと書斎とを兼用したスペースとして利用することができる。
【００５８】
なお、本発明の実施形態は上述の形態に限るものではなく、本発明の思想の範囲を逸脱しない範囲で適宜変更することができる。
【産業上の利用可能性】
【００５９】
本発明に係る出窓用額縁１ａ及び１ｂは、住宅２等の外壁に取り付けられた出窓用額縁として用いることができる。
【符号の説明】
【００６０】
１ａ，１ｂ      出窓用額縁
２              住宅
３              居室
４              外壁
５ａ，５ｂ      開口部
７，１１        上枠
８，１２        下枠
９，１６        一対の側枠
９ａ，１６ａ    左側側枠
９ｂ，１６ｂ    右側側枠
１４            幅方向における一部
１５            幅方向における他の部分
【図１】
2014062417.tif 000003
【図２】
2014062417.tif 000004
【図３】
2014062417.tif 000005
【図４】
2014062417.tif 000006
【図５】
2014062417.tif 000007
【図６】
2014062417.tif 000008